(57)【要約】【課題】  この発明は、スキャン装置からのスキャンデータを受信するＰＣの能力に応じた解像度でスキャンが行えるようになるスキャンデータ伝送システムを提供することを目的とする。【解決手段】  スキャンデータ伝送システムにおいて、各ＰＣは、原稿サイズ別にそのＰＣの能力に適した読み取り解像度を設定させる設定手段および設定された原稿サイズ別の読み取り解像度を推奨解像度情報として保持する手段を備えており、スキャン装置は、スキャン開始前に、スキャンデータの送信先ＰＣから、そのＰＣに保持されている推奨解像度を取得する手段、および取得した推奨解像度とスキャンしようとする原稿サイズとから、スキャン時の読み取り解像度を決定する手段を備えている。【選択図】  図１
2005159704.tif 000002
【特許請求の範囲】
【請求項１】
スキャナ装置と１または複数のＰＣとがネットワークを介して接続されており、各ＰＣには、スキャナ装置によって読み取られたスキャンデータを格納するスキャンデータ格納フォルダの場所が登録されており、スキャナ装置には、各ＰＣに登録されているスキャンデータ格納フォルダ毎に、各ＰＣのネットワーク上のアドレスが登録されており、スキャナ装置は、登録されている全てのスキャンデータ格納フォルダのうちから、スキャナ装置によって読み取られるスキャンデータを格納するフォルダをユーザに選択させた後にスキャンを行い、ユーザによって選択されたスキャンデータ格納フォルダに対応するＰＣのネットワーク上のアドレスに基づいて、当該スキャンデータ格納フォルダが存在しているＰＣに、スキャンデータを送信し、各ＰＣは、スキャナ装置からＰＣにスキャンデータが送られてきた場合には、それを受信して、予めＰＣに登録されているスキャンデータ格納フォルダに格納させるようにしたスキャンデータ伝送システムにおいて、
各ＰＣは、原稿サイズ別にそのＰＣの能力に適した読み取り解像度を設定させる設定手段および設定された原稿サイズ別の読み取り解像度を推奨解像度情報として保持する手段を備えており、
スキャン装置は、スキャン開始前に、スキャンデータの送信先ＰＣから、そのＰＣに保持されている推奨解像度を取得する手段、および取得した推奨解像度とスキャンしようとする原稿サイズとから、スキャン時の読み取り解像度を決定する手段を備えていることを特徴とするスキャンデータ伝送システム。
【請求項２】
スキャナ装置と１または複数のＰＣとがネットワークを介して接続されており、各ＰＣには、スキャナ装置によって読み取られたスキャンデータを格納するスキャンデータ格納フォルダの場所が登録されており、スキャナ装置には、各ＰＣに登録されているスキャンデータ格納フォルダ毎に、各ＰＣのネットワーク上のアドレスが登録されており、スキャナ装置は、登録されている全てのスキャンデータ格納フォルダのうちから、スキャナ装置によって読み取られるスキャンデータを格納するフォルダをユーザに選択させた後にスキャンを行い、ユーザによって選択されたスキャンデータ格納フォルダに対応するＰＣ上のネットワーク上のアドレスに基づいて、当該スキャンデータ格納フォルダが存在しているＰＣに、スキャンデータを送信し、各ＰＣは、スキャナ装置からＰＣにスキャンデータが送られてきた場合には、それを受信して、予めＰＣに登録されているスキャンデータ格納フォルダに格納させるようにしたスキャンデータ伝送システムにおいて、
各ＰＣは、原稿サイズ別にそのＰＣの能力に適した読み取り解像度を設定させる設定手段および設定された原稿サイズ別の読み取り解像度を推奨解像度情報として保持する手段を備えており、
スキャン装置は、スキャン開始前に、スキャン時の読み取り解像度を自動設定するか手動設定するかを選択させる手段、自動設定が選択された場合には、スキャンデータの送信先ＰＣから、そのＰＣに保持されている推奨解像度を取得する手段、および取得した推奨解像度とスキャンしようとする原稿サイズとから、スキャン時の読み取り解像度を決定する手段を備えていることを特徴とするスキャンデータ伝送システム。
【発明の詳細な説明】
【技術分野】
【０００１】
この発明は、スキャナ装置と１または複数のＰＣとがネットワークを介して接続されているシステムにおいて、スキャナ装置によって読み取られたスキャンデータを、所定のＰＣの所定のフォルダに保存させる、スキャンデータ伝送システムに関する。
【背景技術】
【０００２】
本出願人は、スキャナ装置で読み取られたスキャンデータを、ユーザのＰＣにおけるネットワーク上で共有化されていない所定のフォルダに、サーバを介することなく保存することができるシステムを既に開発している（特開２００２−７７１７７号公報参照）。
【０００３】
このシステムでは、スキャナ装置と１または複数のＰＣとがネットワークを介して接続されている。各ＰＣには、スキャナ装置によって読み取られたスキャンデータを格納するスキャンデータ格納フォルダの場所が登録されている。スキャナ装置には、各ＰＣに登録されているスキャンデータ格納フォルダ毎に、各ＰＣのネットワーク上のアドレスが登録されている。
【０００４】
スキャナ装置は、登録されている全てのスキャンデータ格納フォルダのうちから、スキャナ装置によって読み取られるスキャンデータを格納するフォルダをユーザに選択させた後にスキャンを行い、ユーザによって選択されたスキャンデータ格納フォルダに対応するＰＣのネットワーク上のアドレスに基づいて、当該スキャンデータ格納フォルダが存在しているＰＣに、スキャンデータを送信する。
【０００５】
各ＰＣにはオペレーティングシステムおよびスキャンデータ受信用ソフトウエアが格納されており、スキャンデータ受信用ソフトウエアは、スキャナ装置からＰＣにスキャンデータが送られてきた場合には、それを受信して、予めＰＣに登録されているスキャンデータ格納フォルダに格納させる。
【０００６】
このようなシステムにおいて、従来は、スキャナ装置によってスキャンを開始させる前に、スキャン時の解像度をスキャナ装置の操作部によって操作者に選択させるようにしている。しかしながら、スキャンデータを受信するＰＣのパフォーマンスが低い場合に、大サイズの原稿に対して高い解像度が設定されると、パフォーマンスの低いＰＣに高解像度の大サイズのスキャンデータが送られることになる。そうすると、そのＰＣにおいて受信したスキャンデータをビューアーで表示させる場合に、時間がかかり、実用的でない。このような場合には、再度、解像度を低く設定して、スキャンをやり直す必要がある。
【特許文献１】特開２００２−７７１７７号公報
【発明の開示】
【発明が解決しようとする課題】
【０００７】
この発明は、スキャン装置からのスキャンデータを受信するＰＣの能力に応じた解像度でスキャンが行えるようになるスキャンデータ伝送システムを提供することを目的とする。
【課題を解決するための手段】
【０００８】
請求項１に記載の発明は、スキャナ装置と１または複数のＰＣとがネットワークを介して接続されており、各ＰＣには、スキャナ装置によって読み取られたスキャンデータを格納するスキャンデータ格納フォルダの場所が登録されており、スキャナ装置には、各ＰＣに登録されているスキャンデータ格納フォルダ毎に、各ＰＣのネットワーク上のアドレスが登録されており、スキャナ装置は、登録されている全てのスキャンデータ格納フォルダのうちから、スキャナ装置によって読み取られるスキャンデータを格納するフォルダをユーザに選択させた後にスキャンを行い、ユーザによって選択されたスキャンデータ格納フォルダに対応するＰＣのネットワーク上のアドレスに基づいて、当該スキャンデータ格納フォルダが存在しているＰＣに、スキャンデータを送信し、各ＰＣは、スキャナ装置からＰＣにスキャンデータが送られてきた場合には、それを受信して、予めＰＣに登録されているスキャンデータ格納フォルダに格納させるようにしたスキャンデータ伝送システムにおいて、各ＰＣは、原稿サイズ別にそのＰＣの能力に適した読み取り解像度を設定させる設定手段および設定された原稿サイズ別の読み取り解像度を推奨解像度情報として保持する手段を備えており、スキャン装置は、スキャン開始前に、スキャンデータの送信先ＰＣから、そのＰＣに保持されている推奨解像度を取得する手段、および取得した推奨解像度とスキャンしようとする原稿サイズとから、スキャン時の読み取り解像度を決定する手段を備えていることを特徴とする。
【０００９】
請求項２に記載の発明は、スキャナ装置と１または複数のＰＣとがネットワークを介して接続されており、各ＰＣには、スキャナ装置によって読み取られたスキャンデータを格納するスキャンデータ格納フォルダの場所が登録されており、スキャナ装置には、各ＰＣに登録されているスキャンデータ格納フォルダ毎に、各ＰＣのネットワーク上のアドレスが登録されており、スキャナ装置は、登録されている全てのスキャンデータ格納フォルダのうちから、スキャナ装置によって読み取られるスキャンデータを格納するフォルダをユーザに選択させた後にスキャンを行い、ユーザによって選択されたスキャンデータ格納フォルダに対応するＰＣのネットワーク上のアドレスに基づいて、当該スキャンデータ格納フォルダが存在しているＰＣに、スキャンデータを送信し、各ＰＣは、スキャナ装置からＰＣにスキャンデータが送られてきた場合には、それを受信して、予めＰＣに登録されているスキャンデータ格納フォルダに格納させるようにしたスキャンデータ伝送システムにおいて、各ＰＣは、原稿サイズ別にそのＰＣの能力に適した読み取り解像度を設定させる設定手段および設定された原稿サイズ別の読み取り解像度を推奨解像度情報として保持する手段を備えており、スキャン装置は、スキャン開始前に、スキャン時の読み取り解像度を自動設定するか手動設定するかを選択させる手段、自動設定が選択された場合には、スキャンデータの送信先ＰＣから、そのＰＣに保持されている推奨解像度を取得する手段、および取得した推奨解像度とスキャンしようとする原稿サイズとから、スキャン時の読み取り解像度を決定する手段を備えていることを特徴とする。
【発明の効果】
【００１０】
この発明によれば、スキャン装置からのスキャンデータを受信するＰＣの能力に応じた解像度でスキャンが行えるようになる。
【発明を実施するための最良の形態】
【００１１】
以下、図面を参照して、この発明の実施例について説明する。
【実施例】
【００１２】
図１は、スキャナ装置と複数のＰＣとがＬＡＮ（ネットワーク）を介して接続されているシステムを示している。
【００１３】
スキャナ装置としては、デジタルＰＰＣ１が用いられている。デジタルＰＰＣ１は、ＬＡＮ１０を介して複数のＰＣ２、３、４、５と接続されている。
【００１４】
デジタルＰＰＣ１は、任意のＰＣからＷｅｂブラウザ機能を利用してアクセスされた場合に、送信先管理データを登録させるためのＷｅｂ  Ｐａｇｅ（ウエブページ）を提供する機能を備えているとともに、ユーザによる送信先フォルダ選択操作およびＷｅｂ  Ｐａｇｅによって登録された送信先管理データに基づいて、デジタルＰＰＣ１によって読み取ったスキャンデータをユーザによって指定された送信先ファイルの存在するＰＣ２〜５に送信する機能を備えている。これらの機能は、デジタルＰＰＣ１のスキャンデータ送信制御ソフト（ＯＳとは異なるソフトウエア）によって実現される。
【００１５】
一方、ＰＣ２〜５は、デジタルＰＰＣ１によって読み取ったスキャンデータを画像ファイルとして保存するためのフォルダ（以下、スキャンデータ格納フォルダという）を設定したり、デジタルＰＰＣ１から送信されたスキャンデータを受信して、所定のスキャンデータ格納フォルダに画像ファイルとして保存させる機能を備えている。また、ＰＣ２〜５は、原稿サイズ別にＰＣのパフォーマンスに応じた読み取り解像度（ＰＣの推奨解像度）を、ＰＣ２〜５のユーザに設定させる機能を備えている。これらの機能は、ＰＣ２〜５にインストールされたスキャンデータ受信用ソフトウエア（ＯＳ上のアプリケーション）によって実現される。
【００１６】
図２は、スキャンデータ受信用ソフトウエアによって各ＰＣ２〜５上に表示されるフォルダ設定画面の一例を示している。
【００１７】
各ＰＣ２〜５のユーザは、フォルダ設定画面上で、デジタルＰＰＣ１によって読み取られたスキャンデータを画像ファイルとして格納するためのスキャンデータ格納フォルダを登録する。この例では、各ＰＣ２〜５それぞれに複数のスキャンデータ格納フォルダを登録できるようになっており、スキャンデータ格納フォルダ毎に、フォルダ番号(NO.1 等) とフォルダの場所とパスワードとを登録する。パスワードは必ずしも登録する必要はない。
【００１８】
フォルダ設定画面上で登録された内容（スキャンデータ格納フォルダ設定データ）は、そのＰＣに保存される。スキャンデータ格納フォルダ設定データは、フォルダ設定画面上で変更、削除が可能である。
【００１９】
図３は、スキャンデータ受信用ソフトウエアによって各ＰＣ２〜５上に表示される解像度設定画面の一例を示している。
【００２０】
各ＰＣ２〜５のユーザは、解像度設定画面上で、画像サイズ別に当該ＰＣのパフォーマンスに応じた読み取り解像度（ＰＣの推奨解像度）を登録する。図３の例では、任意の３種類の原稿サイズそれぞれに対して解像度を設定できるようになっている。解像度設定画面上で登録された原稿サイズ別の解像度は、そのＰＣの推奨解像度情報として、そのＰＣに保存される。
【００２１】
図４は、所定のユーザが、ＰＣ２〜５のうちの任意のＰＣのＷｅｂブラウザ機能を利用してデジタルＰＰＣ１にアクセスした場合に、デジタルＰＰＣ１によって提供されるＷｅｂ  Ｐａｇｅ（送信先管理データ登録画面）の一例を示している。
【００２２】
所定のユーザは、任意のＰＣを用いて、全てのＰＣ２〜５に登録されている各スキャンデータ格納フォルダを、送信先管理データ登録画面上で登録する。
【００２３】
つまり、各スキャンデータ格納フォルダ毎に、フォルダ名称( Folder-1等) 、そのスキャンデータ格納フォルダが作成されているＰＣのネットワークアドレス、およびそのスキャンデータ格納フォルダのフォルダ番号(NO.1 等) を登録する。
【００２４】
送信先管理データ登録画面上で登録された内容( 送信先管理データ) は、デジタルＰＰＣ１に保存される。
【００２５】
図５は、デジタルＰＰＣ１の操作部に表示される送信先フォルダ選択画面の一例を示している。
【００２６】
送信先フォルダ選択画面には、フォルダ名称( Folder-1等) のリストが表示される。
【００２７】
図６は、デジタルＰＰＣ１で読み取られたデータを、ユーザによって指定された所定のＰＣの所定のフォルダに画像ファイルとして保存する場合の、デジタルＰＰＣ１およびＰＣの処理手順を示している。
【００２８】
まず、デジタルＰＰＣ１の処理について説明する。
【００２９】
デジタルＰＰＣ１は、ユーザ操作によって、スキャンモードに入る（ステップ１）。さらに、ユーザ操作によって、デジタルＰＰＣ１は、スキャンモード内のＰＣ送信モードに入る（ステップ２）。
【００３０】
ＰＣ送信モードに入ると、図５に示すような送信先フォルダ選択画面が表示されるので、ユーザは送信先となるスキャンデータ格納フォルダに対応するフォルダ名称（以下、送信先フォルダ名称という）を選択する（ステップ３）。
【００３１】
送信先フォルダ名称が選択されると、送信先管理データ（図４参照）に基づいて、送信先のＰＣのネットワークアドレスおよびフォルダ番号を取得する（ステップ４）。そして、送信先のＰＣに、スキャナ信号およびフォルダ番号を送信する。
【００３２】
送信先のＰＣがスキャナ信号およびフォルダ番号を受信した場合には、送信先のＰＣからデジタルＰＰＣ１に確認信号が送られてくる。
【００３３】
この確認信号が送られてくるか否かに基づいて、送信先のＰＣにおいてスキャンデータ受信用アプリケーションソフトが正常に稼働しているか否かを判定する（ステップ５）。      
【００３４】
送信先のＰＣにおいてスキャンデータ受信用アプリケーションソフトが正常に稼働していると判定した場合には、送信先フォルダにパスワードが設定されているか否かを、送信先のＰＣに問い合わせることにより、判定する（ステップ６）。送信先フォルダにパスワードが設定されていない場合には、ステップ９に進む。
【００３５】
送信先フォルダにパスワードが設定されている場合には、パスワード入力画面を表示し、ユーザに当該送信先フォルダに設定したパスワードを入力させる。ユーザがパスワードを入力すると（ステップ７）、入力されたパスワードを送信先のＰＣに送信して、ユーザによって入力されたパスワードが送信先フォルダに対して設定されているパスワードと一致するか否かをＰＣに問い合わせる。
【００３６】
この問い合わせ結果に基づいて、デジタルＰＰＣ１は、ユーザによって入力されたパスワードが、送信先フォルダに対して設定されているパスワードと一致しているか否かを判定する（ステップ８）。
【００３７】
両パスワードが不一致である場合には、ステップ７に戻る。両パスワードが一致した場合には、ステップ９に進む。
【００３８】
ステップ９では、ユーザ操作による読み込みモードの設定が行われる。この設定の際に、読み取り解像度を自動設定にするか手動設定するかが選択され、手動設定の場合にはユーザによって所望の解像度が指定される。
【００３９】
読み込みモードの設定が終了すると、解像度に関して自動設定が選択されているか否かを判別する（ステップ１０）。自動設定が選択されていない場合、つまり、手動設定が選択されている場合には、ユーザによって指定された解像度を、スキャン時の解像度として設定した後（ステップ１１）、ステップ１４に移行する。
【００４０】
自動設定が選択されている場合には、送信先のＰＣに対してそのＰＣに設定されている推奨解像度情報の取得要求を行うことにより、そのＰＣに設定されている解像度情報（原稿サイズ毎の解像度）を取得する（ステップ１２）。そして、スキャンしようとする原稿サイズと、送信先ＰＣから取得した推奨解像度情報とから適切な解像度を決定し、スキャン時の解像度として設定する（ステップ１３）。そして、ステップ１４に移行する。
【００４１】
ステップ１４においては、原稿画像の読み込みを開始する。そして、読み込んだスキャンデータの送信先のＰＣへの送信を開始する（ステップ１５）。
【００４２】
このようにして、全ての原稿画像の読み込みおよび送信が終了すると（ステップ１６でＹＥＳ）、今回の処理は終了する。
【００４３】
次に、ＰＣの処理について説明する。
【００４４】
ＰＣは、デジタルＰＰＣ１から信号が送られてくるのを常に監視している（ステップ２１）。上記ステップ４で、デジタルＰＰＣ１から送信されたスキャナ信号およびフォルダ番号を受信すると（ステップ２２でＹＥＳ）、受信した旨をデジタルＰＰＣ１に送信するとともに受信したフォルダ番号を確認する（ステップ２３）。
【００４５】
そして、受信したフォルダ番号とスキャンデータ格納フォルダ設定データ（図２参照）に基づいて、格納先フォルダを確定するとともに（ステップ２４）、格納先フォルダにパスワードが設定されているか否かを判定する（ステップ２５）。この判定結果を、上記ステップ６でデジタルＰＰＣ１からのパスワードの設定の有無の問い合わせに対して、デジタルＰＰＣ１に送信する。パスワードが設定されていない場合には、ステップ２８に進む。
【００４６】
格納先フォルダにパスワードが設定されている場合には、デジタルＰＰＣ１からユーザによって入力されたパスワードを取得し（ステップ２６）、取得したパスワードが格納先フォルダに設定されているパスワードと一致するか否かを判定して（ステップ２７）、その判定結果をデジタルＰＰＣ１に送信する。
【００４７】
両パスワードが一致した場合には、ステップ２８に進む。ステップ２８においては、デジタルＰＰＣ１からの推奨解像度情報の取得要求を受信したか否かを判別する。推奨解像度情報の取得要求を受信していない場合には、デジタルＰＰＣ１からのスキャンデータの受信が開始されたか否かを判別する（ステップ３０）。デジタルＰＰＣ１からのスキャンデータの受信が開始されていない場合には、ステップ２８に戻る。
【００４８】
ステップ２８において、推奨解像度情報の取得要求を受信した場合には、保持している推奨解像度情報をデジタルＰＰＣ１に送信した後（ステップ２９）、ステップ３０に移行する。ステップ３０において、デジタルＰＰＣ１からのスキャンデータの受信が開始されると、デジタルＰＰＣ１から送られてくるスキャンデータの取込みを開始する（ステップ３１）。そして、取り込んだデータの格納先フォルダへの保存を開始する（ステップ３２）。
【００４９】
このようにして、全てのスキャンデータの取込みおよび格納先フォルダへの保存が終了すると（ステップ３３でＹＥＳ）、今回の処理は終了する。
【００５０】
上記実施の形態では、デジタルＰＰＣ１から、ＰＣ内のフォルダに対して直接アクセスをせず、ＰＣ内のスキャンデータ受信用ソフトウエアに対してスキャンデータを送り、ＰＣ内のスキャンデータ受信用ソフトウエアがＰＣ内の格納先フォルダにスキャンデータを保存しているため、ＰＣ上のオーレーティングシステムが共有フォルダとしてネットワーク上に公開するフォルダ以外の非公開のフォルダにデジタルＰＰＣ１によって読み取られたスキャンデータを格納することができる。したがって、ユーザが自己のＰＣに保存したスキャンデータを他者から見られるといった危険性を回避することができる。
【００５１】
また、ユーザは、ＰＣに直接保存されたスキャンデータを利用することができるため、ネットワークに対応していないアプリケーションがこのスキャンデータを直接利用することが可能となる。
【００５２】
また、上記のようにスキャンデータ格納フォルダにパスワードを設定しておくことにより、ユーザ以外の他者がデジタルＰＰＣ１を操作することによって、デジタルＰＰＣ１から不要なデータがＰＣのスキャンデータ格納フォルダに保存されるといったことも防止される。
【００５３】
また、スキャンデータ格納フォルダの場所の変更は、ＰＣ側でスキャンデータ格納フォルダ設定データを変更することのみで行なえるので、スキャンデータ格納フォルダの場所の変更操作が非常に簡単である。
【００５４】
さらに、読み取り解像度を自動設定にした場合には、スキャンデータの送信先ＰＣからそのＰＣのパフォーマンスに適した推奨解像度情報を取得し、スキャンしようとする原稿のサイズとＰＣから取得した推奨解像度情報とから、適切な解像度を決定しているので、スキャンデータの送信先のＰＣのパフォーマンスに応じた解像度を用いてスキャンを行うことができるようになる。
【図面の簡単な説明】
【００５５】
【図１】スキャナ装置と複数のＰＣとがＬＡＮを介して接続されているシステムを示す模式図である。
【図２】スキャンデータ受信用ソフトウエアによって各ＰＣ２〜５上に表示されるフォルダ設定画面の一例を示す模式図である。
【図３】スキャンデータ受信用ソフトウエアによって各ＰＣ２〜５上に表示される解像度設定画面の一例を示す模式図である。
【図４】所定のユーザが、ＰＣ２〜５のうちの任意のＰＣのＷｅｂブラウザ機能を利用してデジタルＰＰＣ１にアクセスした場合に、デジタルＰＰＣ１によって提供されるＷｅｂ  Ｐａｇｅ（送信先管理データ登録画面）の一例を示す模式図である。
【図５】デジタルＰＰＣ１の操作部に表示される送信先フォルダ選択画面の一例を示す模式図である。
【図６】デジタルＰＰＣ１で読み取られたデータを、ユーザによって指定された所定のＰＣの所定のフォルダに画像ファイルとして保存する場合の、デジタルＰＰＣ１およびＰＣの処理手順を示すフローチャートである。
【符号の説明】
【００５６】
１  デジタルＰＰＣ
２〜５  ＰＣ
１０  ＬＡＮ
【図１】
2005159704.tif 000003
【図２】
2005159704.tif 000004
【図３】
2005159704.tif 000005
【図４】
2005159704.tif 000006
【図５】
2005159704.tif 000007
【図６】
2005159704.tif 000008